(57)【要約】      （修正有）【課題】タッチパネルの特別注文による形状要求に容易に適合しまた製造工程で用いられる材料を節約する基板の非統合かつ固定の一部を有するタッチパネルを提供する。【解決手段】タッチパネルは基板１０と伸長部２０とを有する。基板は矩形状を呈し、２つの相対する表面と、多数のエッジ壁と、透明電極層１１とを有する。透明電極層は、基板の相対する表面の一方に形成されている。伸長部は、各エッジ壁の厚さと一致する厚さを有し、エッジ壁の１つに固定されている。したがって、特別の形状を有する基板を特別な切断工程の間に不必要な材料を切断することなしに非統合部により形成することができ、これにより、製造工程を簡素化し、また、材料費を節約する。【選択図】図１
0003172553.tif 000002
【実用新案登録請求の範囲】
【請求項１】
基板の非統合かつ固定の一部を有するタッチパネルであって、
厚さと、それぞれが長さを有する多数のエッジ壁と、２つの相対する表面と、該相対する表面の少なくとも一方上にそれぞれ形成された少なくとも１つの透明電極層とを有する矩形状の基板と、
伸長部であって、長さと、前記基板の厚さと一致する厚さと、前記伸長部の厚さの方向に沿って形成され、かつ前記基板の複数のエッジ壁の１つに固定された内向き面とを有する伸長部とを含む、タッチパネル。
【請求項２】
前記少なくとも１つの透明電極層の各々は、
前記透明電極層上に形成された感知層と、
前記感知層上に形成された配線領域と、
前記感知層に接続するために前記配線領域内に形成された複数のワイヤとを有する、請求項１に記載のタッチパネル。
【請求項３】
前記少なくとも１つの透明電極層は、さらに、
前記配線領域上に形成され、同時に前記伸長部を覆うインキ層と、
前記インキ層上に形成された硬化層とを有する、請求項２に記載のタッチパネル。
【請求項４】
前記伸長部の内向き面は、前記基板のエッジ壁の１つに接着剤により接着されている、請求項３に記載のタッチパネル。
【請求項５】
前記伸長部の長さは、各エッジ壁の長さより短く、また、前記伸長部はこれを貫通するように形成された貫通孔を有する、請求項４に記載のタッチパネル。
【請求項６】
前記基板は、
前記基板の相対する表面の一方上に形成された２つの透明電極層と、
前記２つの透明電極層間に形成され、該透明電極層を互いに絶縁する多数のスペーサと、
前記透明電極層の一方の２つの相対する端部上にそれぞれ形成された２つのＸ軸駆動線と、
前記透明電極層の他の一方の２つの相対する端部上にそれぞれ形成され、前記Ｘ駆動線に垂直である２つのＹ軸駆動線とを有する、請求項１ないし５のいずれか１項に記載のタッチパネル。
【請求項７】
前記基板は、該基板の相対する表面の一方に形成され、Ｘ軸感知層とＹ軸感知層とを構成する透明電極層を有し、前記Ｘ軸感知層は複数の横列において連続的に接続された多数のＸ軸電極を有し、前記Ｙ軸感知層は複数の縦列において連続的に接続された多数のＹ軸電極を有し、また、前記Ｘ軸電極の複数の横列は前記Ｙ軸電極の複数の縦列と垂直に整列している、請求項１ないし５に記載のタッチパネル。
【請求項８】
前記基板は、該基板の相対する表面上にそれぞれ形成され、Ｘ軸感知層とＹ軸感知層とをそれぞれ構成する２つの透明電極層を有し、前記Ｘ軸感知層は複数の横列において連続的に接続された多数のＸ軸電極を有し、前記Ｙ軸感知層は複数の縦列において連続的に接続された多数のＹ軸電極を有し、また、前記Ｘ軸電極の複数の横列は前記Ｙ軸電極の複数の縦列と垂直に整列している、請求項１ないし５に記載のタッチパネル。
【請求項９】
基板の非統合かつ固定の一部を有するタッチパネルであって、
厚さと、それぞれが長さを有する多数のエッジ壁と、２つの相対する表面と、前記相対する表面の一方に形成された、複数の横列において連続的に接続された多数のＸ軸電極を有するＸ軸感知層を構成する透明電極層とを備える第１の基板と、厚さと、それぞれが長さを有する多数のエッジ壁と、２つの相対する表面と、前記相対する表面の一方に形成された、複数の縦列において連続的に接続された多数のＹ軸電極を有するＹ軸感知層を構成する透明電極層とを備える第２の基板とであって、前記第１の基板と前記第２の基板とが絶縁状態に重ね合わされた後、前記複数のＸ軸電極の横列が前記複数のＹ軸電極の縦列と垂直に整列する第１の基板及び第２の基板と、
２つの伸長部であって、それぞれが、長さと、前記基板の一方の厚さと一致する厚さと、前記伸長部の厚さの方向に沿って形成され、かつ対応する前記基板の複数のエッジ壁の１つに固定された内向き面とを有する２つの伸長部とを含む、タッチパネル。
【請求項１０】
前記第１の基板及び前記第２の基板のそれぞれの透明電極層は、
前記透明電極層上に形成された感知層と、
前記感知層上に形成された配線領域と、
前記感知層に接続するために前記配線領域内に形成された複数のワイヤとを有する、請求項９に記載のタッチパネル
【請求項１１】
第１の基板及び前記第２の基板のそれぞれの透明電極層は、さらに、
前記配線領域上に形成され、同時に前記伸長部を覆うインキ層と、
前記インキ層上に形成された硬化層とを有する、請求項１０に記載のタッチパネル。
【請求項１２】
各伸長部の内向き面は、対応する基板のエッジ壁の１つに接着剤により接着されている、請求項１１に記載のタッチパネル。
【請求項１３】
各伸長部の長さは、対応する基板の各エッジ壁の長さより短く、また、各伸長部はこれを貫通するように形成された貫通孔を有する、請求項１２に記載のタッチパネル。
【考案の詳細な説明】
【技術分野】
【０００１】
本考案はタッチパネルに関し、より詳細には、タッチパネルの特別注文による形状要求に容易に適合しまた製造工程で用いられる材料を節約する基板の統合されておらずかつ固定された一部を有するタッチパネルに関する。
【背景技術】
【０００２】
現在最も高い市場占有率を有するタッチパネルは、操作原理の面から、抵抗方式タッチパネルと容量方式タッチパネルとに分類することができる。駆動線の数に従い、前記抵抗方式タッチパネルは４-ワイヤ、５-ワイヤ、６-ワイヤ及び８-ワイヤのタッチパネルを含む。前記容量方式タッチパネルは、表面型容量方式タッチパネルと、投影型容量方式タッチパネルとを含む。
【０００３】
前記タッチパネルはそれぞれ少なくとも１つの基板を有する。前記基板は透明であり、また、２つの相対する表面を有する。両表面の少なくとも一方は、インジウムスズ酸化物（ＩＴＯ）で形成されかつその上に形成された透明電極層を有する。容量方式タッチパネルの操作原理は、指が前記透明電極層に近づくときの前記指と前記透明電極層との間の静電容量の発生にあり、その結果、前記透明電極層の全体の静電容量が変化する。したがって、指が容量性タッチパネルに接近すると、接近位置の対応座標の静電容量が変化する。前記透明電極層の位置の座標の変化静電容量が検出されると、前記変化静電容量を有する位置が指により接触された位置に決定される。
【０００４】
前記タッチパネルの技術が普及した後、多くの電子製品が入力インタフェースとしてタッチパネルを採用している。全ての初期のタッチパネルの外形は主として矩形である。異なる電子製品製造業者により作られる、基板の一側部からの突起上に形成された前記基板の一部のようなタッチパネルの特別注文による形状要求に応えて、基板の元の簡単な切断工程は特別な切断工程によって置きかえられることを必要とする。図７Ａ及び図７Ｂを参照すると、多数の矩形の基板１００が切断され、各基板１００上において主基板部１０１と伸長部１０２とが仕切られており、また、伸長部１０２の両端の外側の部分が伸長エッジを有する基板を形成するために切断されている。
【０００５】
しかし、伸長部を有する基板を形成するために、追加の切断工程及び時間が必要とされ、また、除去された材料が材料の浪費を生じさせる。
【考案の概要】
【考案が解決しようとする課題】
【０００６】
本考案の目的は、タッチパネルの特別注文による形状要求に容易に適合しまた製造工程で用いられる材料を節約するために、基板の非統合かつ固定の一部を有するタッチパネルを提供することにある。
【課題を解決するための手段】
【０００７】
前記目的を達成するため、タッチパネルは基板と、伸長部とを有する。
【０００８】
前記基板は標準的な形態を取り、また、厚さと、多数のエッジ壁と、２つの相対する表面と、少なくとも１つの透明電極層とを有する。
【０００９】
各エッジ壁は長さを有する。前記少なくとも１つの透明電極層は、前記相対する表面の少なくとも一方上に形成される。
【００１０】
前記伸長部は長さと、厚さと、内面とを有する。前記厚さは前記基板のそれに一致する。前記内面は前記伸長部の厚さの方向に沿って形成され、また、前記基板のエッジ壁の１つに固定されている。
【００１１】
基板の非統合かつ固定の複数部分を有する前記タッチパネルは、前記基板から分離されている、基板の前記伸長部が特別な形状要求に適合するように前記基板のエッジ壁の１つに固定されることを許す。前記基板は、それ自体、矩形の形状を取り、特別な切断工程を必要とすることなしに形成され、また、前記伸長部は単純な接着技術をもって前記基板に接着することができ、これにより、製造工程を単純化するだけでなく、材料費を節約する。
【００１２】
本考案の他の目的、利点及び新規な特徴は、添付図面を併用する次の詳細な説明からさらに明らかとなろう。
【図面の簡単な説明】
【００１３】
【図１】本考案に係る非統合かつ固定の部分を有する基板の平面図である。
【図２】図１に示す基板の他の平面図である。
【図３】図１に示す基板を有するタッチパネルの横断側面図である。
【図４】本考案に係るタッチパネルの第１の実施形態の斜視図である。
【図５】本考案に係るタッチパネルの第２の実施形態の平面図である。
【図６】本考案に係るタッチパネルの第３の実施形態の斜視図である。
【図７Ａ】製造工程における従来のタッチパネルの複数の基板の平面図である。
【図７Ｂ】他の製造工程における図７Ａに示す基板の他の平面図である。
【考案を実施するための形態】
【００１４】
図１を参照すると、本考案に係る非統合かつ固定の基板部分を有するタッチパネルは、基板１０と、該基板から分離されかつ固定された伸長部２０とを備える。
【００１５】
基板１０は矩形の形状を呈し、また、２つの相対する表面と、少なくとも１つの透明電極層１１とを有する。少なくとも１つの透明電極層１１は、前記相対する表面の少なくとも一方上に形成されている。それは、少なくとも１つの透明層１１が前記相対する表面の一方上に形成され、又は、少なくとも１つの透明層１１の各々が前記相対する表面の一方上に形成されることを意味する。物理的に貼り付けられるとき、２つの基板１０が通常タッチパネルを構成する。詳細な説明は後述する。基板１０は多数のエッジ壁を有する。この実施形態では、基板１０は矩形であり、また、各２つの相対するエッジ壁が平行であるような４つのエッジ壁を有する。
【００１６】
伸長部２０は基板１０の厚さに一致する厚さを有する。伸長部２０は、基板１０の内向き面を有する。伸長部２０の前記内向き面は伸長部２０の厚さ方向に沿って形成され、また、前記エッジ壁の１つに固定されている。この実施形態では、伸長部２０の長さは各エッジ壁のそれより短く、伸長部２０は前記タッチパネルを固定し又は取り付けるための貫通孔２１を有し、また、伸長部２０は接着剤により基板１０に接着されている。
【００１７】
図２及び図３を参照すると、基板１０上の透明電極層１１が感知層１１０を形成するためにエッチング処理を施された後、基板１０はさらに配線領域１２と、複数のワイヤと、インキ層１３と、硬化層１４とを有する。配線領域１２は、感知層１１０が形成されている同一の表面上に形成されている。前記ワイヤは、前記感知層と接続するように配線領域１２内に形成されている。インキ層１３は配線領域１２上に形成され、同時に伸長部２０を覆っている。硬化層４は、さらに、インキ層１３上に形成されている。
【００１８】
前記タッチパネルは、抵抗方式タッチパネルと、表面型容量方式タッチパネル、投影型タッチパネル等のような容量方式タッチパネルとに適用可能である。
【００１９】
図４を参照すると、本考案に係るタッチパネルの第１の実施形態が抵抗方式タッチパネルに適用されており、基板１０と、２つの透明電極層１１，１１’と、多数のスペーサとを有する。２つの透明電極層１１，１１’は、基板１０の一方の表面上に形成される。前記スペーサは、透明電極層１１，１１’を互いから絶縁するために透明電極層１１，１１’間に据えられている。複数の透明電極層１１の一つは、透明電極層１１の２つの相対する端部上にそれぞれ形成され互いに平行である２つのＸ軸駆動線１１１を有する。複数の透明電極層１１の他の一つは、透明電極層１１’の２つの相対する端部上にそれぞれ形成され互いに平行でありかつＸ軸駆動線１１１に垂直である２つのＹ軸駆動線１１１’を有する。４つの前記駆動線の存在のために、このような抵抗方式タッチパネルは４−ワイヤの抵抗方式タッチパネルと称されている。加えて、このような設計は５−ワイヤ及び８−ワイヤの抵抗方式タッチパネルに適用可能である。
【００２０】
図５を参照すると、本考案に係るタッチパネルの第２の実施形態が投影型容量方式タッチパネルに適用されており、基板３０と、Ｘ軸感知層３１と、Ｙ軸感知層３２とを有する。基板３０は透明電極層と、伸長部２０とを有する。前記透明電極層は前記基板の一方の表面上に形成され、Ｘ軸感知層３１とＹ軸感知層３２とを構成する。Ｘ軸感知層３１は複数の横列に連続的に接続された多数のＸ軸電極３１０を有する。Ｙ軸感知層３２は複数の縦列に連続的に接続された多数のＹ軸電極３２０を有する。Ｘ軸電極３１０の複数の横列は、Ｙ軸電極３２０の複数の縦列に対して垂直に整列している。基板３０の一方の表面上に形成されることのほかに、Ｘ軸感知層３１とＹ軸感知層３２とはそれぞれ基板３０の２つの相対する表面上に形成されてもよい。伸長部２０は基板３０から分離され、かつ、基板３０一つのエッジ壁に固定されている。
【００２１】
本考案に係るタッチパネルは、単一基板の投影型容量方式タッチパネルだけでなく２つの基板の容量方式タッチパネルにも適用可能である。図６を参照すると、本考案に係る第３の実施形態は２つの基板４０，５０を有する。２つの基板４０，５０はそれぞれ２つの透明電極層を有する。各透明電極層は対応する基板４０，５０の一方の表面上に形成されている。前記２つの透明電極層は、それぞれ、Ｘ軸感知層４１とＹ軸感知層５１とを構成する。Ｘ軸感知層４１は複数の横列に連続して接続された多数のＸ軸電極４１０を有する。Ｙ軸感知層５１は複数の縦列に連続して接続された多数のＹ軸電極５１０を有する。２つの基板４０，５０が絶縁状態で重ね合わされた後、Ｘ軸電極４１０の複数の横列がＹ軸電極５１０の複数の縦列と垂直に整列する。２つの基板４０，５０の各々はこれらの基板４０，５０から絶縁されかつ基板４０，５０の１つのエッジ壁に固定された伸長部２０を有する。
【００２２】
前記投影型容量方式タッチパネルのほか、本考案はまた表面型容量方式タッチパネルに適用可能であり、基板の１つの表面又は２つの表面上への複数の透明電極層の形成により特徴付けられる。
【００２３】
本考案が製造されると、基板１０，３０，４０，５０が矩形に切断され、伸長部２０が基板１０，３０，４０，５０の１つのエッジ壁に固定される。伸長部２０が、基板１０，３０，４０，５０の不必要な一部を切断することによることに代えて簡単な接着技術により基板１０，３０，４０，５０に固定されると、材料のコストを節約することができるだけでなく、単純な製造工程のために製造コストも節約することができる。
【００２４】
さらに、基板１０，３０，４０，５０が、基板１０，３０，４０，５０の配線領域１２上に形成されまた複数の感知層に電気的に接続された多数のワイヤを有するため、本考案に係るタッチパネルは、配線領域１２上に形成され同時に前記配線領域上の複数のワイヤと伸長部２０及び基板１０，３０，４０，５０間の複数の接着跡とを覆うインキ層１３を有する。したがって、本考案の前記基板と一体に形成された基板との間に外見上に関して差はない。
【００２５】
本考案の多数の特徴及び利点が、本考案の構造及び機能の詳細と共に、先の説明において述べられたが、この開示は一例にすぎない。変更が細部にわたって、特に本考案の原理の範囲内の部分の形状、サイズ及び配列の事項において、添付の実用新案登録請求の範囲が表現されている用語の広く一般的な意味により指摘された全範囲まで行うことができる。
【符号の説明】
【００２６】
１０，３０，４０，５０  基板
１１，１１’  透明電極層
１３  インキ層
１４  硬化層
２０  伸長部
３１，４１  Ｘ軸感知層
３２，５１  Ｙ軸感知層
４１０：Ｘ軸電極
５１０：Ｙ軸電極
【図１】
0003172553.tif 000003
【図２】
0003172553.tif 000004
【図３】
0003172553.tif 000005
【図４】
0003172553.tif 000006
【図５】
0003172553.tif 000007
【図６】
0003172553.tif 000008
【図７Ａ】
0003172553.tif 000009
【図７Ｂ】
0003172553.tif 000010